(57)【特許請求の範囲】
【請求項１】
本体と、
該本体と着脱可能で該本体の所定位置で係合され、少なくとも一端が開口した生体情報測定装置収納部と、
該収納部に該生体情報測定装置が挿入されたことを感知する磁気センサと、
該磁気センサからの出力に応じて生体情報測定装置に記憶された生体情報を読取る読取り部と、
該読取り部で読取られた該生体情報を記憶する記憶部と、
読取り状態を示すインジケータと、
からなることを特徴とする生体情報収集装置。
【請求項２】
該生体情報は、体温測定データであることを特徴とする請求項１に記載の生体情報収集装置。
【発明の詳細な説明】
【０００１】
【発明の属する分野】
本発明は、生体情報収集装置、特に病院等多数の被検者で測定された体温等のデータを自動的に読み取る生体情報収集装置に関するものである。
【０００２】
【従来の技術】
従来、体温等の生体情報のデータを自動的に読取る装置にあっては、電子体温計等の生体情報測定装置の挿入部が装置本体と一体化されていた。
【０００３】
【発明が解決しようとする課題】
このような装置にあっては、病院等において多数の被検者に使用した電子体温計等の生体情報測定装置を、データ読取りのための挿入部に数多く挿入するために、挿入部が汚れ易く、また、挿入部が本体と一体化されていたため、汚れた挿入部を洗浄することが極めて難しいという問題があった。
【０００４】
また、このような装置にあっては、生体情報測定装置が本体の所定位置にセットされているか否かの確認が難しいという問題があった。
【０００５】
また、生体情報測定装置から本体へのデータの送信が確実に行われているか否かの確認が難しいという問題があった。
【０００６】
本願発明は、上記問題点に鑑みてなされたもので、生体情報測定装置挿入部が本体から必要に応じて着脱自在に取外し可能で、消毒、洗浄が可能な携帯型生体情報収集装置を提供するものである。
【０００７】
本願発明は、また、生体情報測定装置挿入部が本体から必要に応じて着脱自在に取外し可能で、消毒、洗浄が可能で、さらに生体情報測定装置が所定位置にセットされているか否かの確認が容易である携帯型生体情報収集装置を提供するものである。
【０００８】
本願発明は、また、生体情報測定装置挿入部が本体から必要に応じて着脱自在に取外し可能で、消毒、洗浄が可能で、生体情報測定装置が所定位置にセットされているか否かの確認が容易であり、さらに生体情報測定装置から本体へのデータの送信が確実に行われているか否かの確認が容易である携帯型生体情報収集装置を提供するものである。
【０００９】
本願発明は、また、生体情報測定装置挿入部が本体から必要に応じて着脱自在に取外し可能で、消毒、洗浄が可能で、生体情報測定装置が所定位置にセットされているか否かの確認が容易であり、さらに生体情報測定装置から本体への体温データの送信が確実に行われているか否かの確認が容易である携帯型生体情報収集装置を提供するものである。
【００１０】
【課題を解決するための手段】
この課題を解決するために、本発明の生体情報収集装置は、本体と、本体と着脱可能で該本体の所定位置で係合され、少なくとも一端が開口した生体情報測定装置収納部と、収納部に該生体情報測定装置が挿入されたことを感知する磁気センサと、磁気センサからの出力に応じて生体情報測定装置に記憶された生体情報を読取る読取り部と、読取り部で読取られた該生体情報を記憶する記憶部と、読取り状態を示すインジケータとを備える。
【００１５】
また、本発明の生体情報収集装置は、生体情報として体温測定データを読取るものである。
【００１７】
【発明の実施の形態】
以下添付図面を参照して、本発明の実施例を説明する。
【００１８】
図１（ａ）は、実施例に係わる生体情報収集装置１００の手前側からの斜視図であり、図１（ｂ）は、実施例に係わる生体情報収集装置１００の向こう側からの斜視図である。
【００１９】
図１（ａ）において、１は、本体、２は、本体と係合した部材（上ケース）で、３は、この部材２と着脱可能で所定位置で係合され、少なくとも一端に開口部３ｂを有する生体情報測定装置収納部である。
【００２０】
生体情報測定装置収納部３は、ＡＢＳ樹脂等の熱可塑性樹脂で成形されている。また、生体情報測定装置収納部３は、必要に応じて係合を解除して上ケース２から取外すことができるので、消毒、洗浄が可能となる。
【００２１】
また、部材（下ケース）４は、部材２の下部と係合し、部材２、本体１と共に装置本体を形成している。
【００２２】
部材４は、生体情報収集装置の１つである脈拍を測定する脈拍計測用プローブ８のプラグ５ａと電気的に接続するプラグ５及び生体情報収集装置の１つである血圧測定用カフの電気プラグ６ａと電気的に接続するプラグ６、血圧測定用カフのエアプラグ７ａと接続するプラグ７を備えている。１１は生体情報収集装置で得られた体温、脈拍、血圧等を表示する表示部である。
【００２３】
１０は、各種生体情報、ＩＤ等のデータを直接入力したり、表示画面を選択、制御したり、各種モード切り替えを行うキー（入力キー）である。
【００２４】
本体１の底部には、ホストのパーソナルコンピュータ等と光通信による外部通信ができるように、フォトトランジスタ（不図示）を備えている。
【００２５】
図２は、上ケース２、下ケース４及び生体情報測定装置収納部３の斜視図である。上ケース２は、生体情報読取部１３と係合する係合部１８を有している。生体情報測定装置収納部３の底部には、ボールプランジャ１２と所定位置で係合できるように凹部３ａを有している。係合をより確実に行うために、上ケース２の内面に凹状溝部３ｃ、生体情報測定装置収納部３の上外面に凸部３ｄを設けている。
【００２６】
上ケース２には、生体情報の読取り状態を示すインジケータ１３ａ，１３ｂ，１３ｃが設けられている。
【００２７】
インジケータ１３ａは、体温データの読取り動作中は、発光ダイオード等の発光素子により黄色に発色し、読取り完了後は緑色に発色し、次の体温データの読取りが可能な状態であることを示すものである。
【００２８】
インジケータ１３ｂは、脈拍計測用プローブ８のプラグ５ａがプラグ５に接続している状態において、脈拍計測用プローブ８が被検者にセットされ、内部の脈拍検出用のフォトトランジスタ（不図示）が押圧されることに連動して測定開始スイッチが入ると発光ダイオード等の発光素子により黄色に発色し、脈拍測定中であることを示すものである。
【００２９】
インジケータ１３ｃは、血圧測定用カフ９の電気プラグ６ａ，エアプラグ７ａがプラグ６，プラグ７にそれぞれ接続している状態において、血圧測定用カフ９が被検者にセットされ、測定開始スイッチが入ると黄色に発色し、血圧測定中であることを示すものである。
【００３０】
なお、体温データ、脈拍データ、血圧データの読取りは、同時に並行処理できる構成となっている。
【００３１】
図３（ａ）は、上ケース２表面に設けられたボールプランジャ１２と、生体情報測定装置収納部３が凹部３ａにより所定位置で係合（装着）した状態を示す断面図、図３（ｂ）は、上ケース２表面に設けられたボールプランジャ１２から生体情報測定装置収納部３が外れた状態を示す断面図である。
【００３２】
図４（ａ）は、上ケース２に装着された生体情報読取部１３の斜視図である。図４（ｂ）は、図４（ａ）におけるＸ−Ｘ′断面図である。
【００３３】
生体情報読取部１３は、ネジ１７により上ケース２に係合されている。ほぼ平板状のセンサ基板１６の上に設けられた凸部を有するセンサホルダ１４上に、１対の発光ダイオード（発光素子）１５ａ−フォトトランジスタ（受光素子）１５ｂが設けられ、体温データの読取り部を形成している。
【００３４】
発光ダイオード１５ａ、フォトトランジスタ１５ｂの近接位置に、カバー１９とほぼ面一か僅かに窪んだ位置にホール素子１５ｃがホール素子基板１５を介してセンサホルダ１４上に設けられている。
【００３５】
なお、センサホルダ１４は、横方向に数ｍｍ程度可動であり位置合わせができる構造となっている。
【００３６】
発光ダイオード１５ａ、フォトトランジスタ１５ｂは、センサホルダ１４、カバー１９により保護されている。フォトトランジスタ１５ｂの表面は、受光感度を向上させるために凸状に形成されたレンズが設けられている。
【００３７】
ホール素子１５ｃは、電子体温計が生体情報測定装置収納部３の所定位置に挿入（セット）されたときに、電子体温計の筺体との距離が１〜２ｍｍ程度になるように構成されている。
【００３８】
また、発光ダイオード１５ａ、フォトトランジスタ１５ｂは、図６に示すような電子体温計４０が生体情報測定装置収納部３の所定位置に挿入されたときに、電子体温計４０の液晶表示部２８との距離が１．５〜３ｍｍ程度になるように構成されている。３ｍｍより大きな距離では、より強度の光を発光する発光ダイオード、より受光感度の高いフォトトランジスタが必要となる。
【００３９】
外乱光によるフォトトランジスタのデータの読取りエラーを防止するために、フォトトランジスタ１５ｂの上部には案内部（ライトガイド）１９ａが設けられている。また、センサホルダ１４は、光に対して不透過性の金属材料等で形成されている。このため、実質的に、電子体温計４０の点滅部２８ａで反射された発光ダイオードからの光のみをフォトトランジスタで受光し、データとして読取ることができる。
【００４０】
図５は、生体情報測定装置としての電子体温計の構成を示すブロック図である。２３は、ワンタイムＲＯＭである。このＲＯＭは、機器識別データ３０として、ＩＤ識別データ（ＩＤ番号等）３４、用途データ（婦人用、口中用、腋下用等）４４、使用環境データ（病院コード、病棟コード等）４６等の領域や、予測演算に用いる測温パラメータ４８の領域等で構成されている。
【００４１】
ＩＤ識別データは、本体１において入力キー１０により変更可能に入力できるものである。
【００４２】
演算用マスクＲＯＭ２４には、電子体温計の体温の予測プログラム３２を格納され、演算用ＲＡＭ２５には、生体情報測定装置としての電子体温計の液晶表示部２８に表示される最小分解能よりも高い分解能で平衡温予測体温データを演算記憶できる演算領域２７が格納されている。また、演算用マスクＲＯＭ２４に格納された予測プログラム３２に従って体温計測を制御するＣＰＵ２１を備えている。
【００４３】
電子体温計４０が体温計ケース（不図示）から取出され、スイッチ（マグネットリードスイッチ）２０で電源がＯＮされると、電池２２は、液晶表示部２８やＣＰＵ２１の処理のための電源を供給する。
【００４４】
センサ（サーミスタ）２６は、体温を検知し、図６に示すように、液晶表示部２８には、計測された体温値（予測平衡温度値または実測温度値）を表示する。また、電子体温計の液晶表示部２８の一部は点滅部２８ａで、この点滅部が所定の点滅パターンで点滅することにより、体温データを送信する。
【００４５】
この点滅データは、発光ダイオードから照射された光が点滅部２８ａで反射し、その反射光をフォトトランジスタで受光（受信）することにより、体温データは装置本体の読取り装置１３により読取られて記憶部に記憶され、被検者名、病棟名等とともに表示部１１に表示される。
【００４６】
図７は、電子体温計に記憶、表示された生体情報としての体温の読取りのフローチャートである。
【００４７】
生体情報測定装置収納部３を上ケース２の所定位置にセットした後、本体１の電源をＯＮにし、入力キー１０で体温読取りモードを選択する（ステップＳ１）と、初期化されインジケータ１３ｂが緑色に発色（ステップＳ２）して、体温の自動読取が可能な状態であることを示す。
【００４８】
電子体温計４０が生体情報測定装置収納部３にセットされる（ステップＳ３）と、磁気センサとしてのホール素子１５ｃが電子体温計４０の内部に取付けられているマグネットリードスイッチの磁力を検出することにより電子体温計４０が所定位置にセット（挿入）されたか否かを判断する（ステップＳ４）。
【００４９】
所定位置にセットされていると、インジケータ１３ａを黄色に発色させ（ステップＳ５）て液晶表示部２８の点滅パターンに基づき１対の発光ダイオード１５ａ−フォトトランジスタ１５ｂによる光通信で、体温データを自動的に読取る（ステップＳ６）。ステップＳ４で、所定位置にセットされていない場合には、再度セットを行う。
【００５０】
２〜３秒程度でデータの読取、記憶を終了する（ステップＳ７）と、インジケータ１３ｂを緑色に発色させ（ステップＳ８）、患者名、病棟名等と共に体温データを表示部１１に表示する。
【００５１】
引き続き、他の電子体温計から体温データを読取らせる場合には、ステップＳ３に戻る。電子体温計からのデータの読取りを終了させる場合には、入力キー１０で読取りモードを解除する（ステップＳ９）。全ての動作を終了させるときには、電源をＯＦＦにする。
【００５２】
なお、脈拍、血圧のデータを読取、記憶させる場合には、入力キー１０で所定の読取りモードを選択する。
【００５３】
また、ＩＤデータ等の機器識別データを体温等の生体情報データと共に生体情報測定装置と生体情報収集装置との間で送受信する構成とすることも可能である
【００５４】
。
【発明の効果】
本発明の生体情報収集装置にあっては、生体情報測定装置収納部は、必要に応じて携帯型の装置本体から取外すことができるので、消毒、洗浄が可能となる。また、本発明の生体情報収集装置にあっては、生体情報測定装置収納部が装置本体から必要に応じて着脱自在に取外し可能で、消毒、洗浄が可能で、さらに、生体情報測定装置が装置本体の所定位置にセットされているか否かの確認が容易である。
【００５５】
また、本発明の生体情報収集装置にあっては、生体情報測定装置挿入部が装置本体から必要に応じて着脱自在に取外し可能で、消毒、洗浄が可能で、さらに、生体情報測定装置が装置本体の所定位置にセットされているか否かの確認が容易であり、さらに生体情報測定装置から本体へのデータの送信が確実に行われているか否かの確認が容易である。
【００５６】
また、本発明の生体情報収集装置にあっては、生体情報測定装置挿入部が装置本体から必要に応じて着脱自在に取外し可能で、消毒、洗浄が可能で、さらに、生体情報測定装置が装置本体の所定位置にセットされているか否かの確認が容易であり、さらに生体情報測定装置から本体への体温測定データの送信が確実に行われているか否かの確認が容易である。
【図面の簡単な説明】
【図１】  本実施例の生体情報収集装置の斜視図である。
【図２】  本実施例の生体情報収集装置の上ケース、下ケース、生体情報測定装置収納部の斜視図である。
【図３】  本実施例の生体情報収集装置の上ケースと生体情報測定装置収納部との着脱状態を示す断面図である。
【図４】  本実施例の上ケースに取付けられたセンサホルダを示す斜視図、及び断面図である。
【図５】  生体情報測定装置としての電子体温計の構成を示すブロック図である。
【図６】  電子体温計を示す図である。
【図７】  体温の読取りのフローチャートである。
【符号の説明】
１…本体
２…上ケース
３…生体情報測定装置収納部
４…下ケース
５、６、７…プラグ
８…脈拍計測用プローブ
９…血圧測定用カフ
１０…入力キー
１１…表示部
１３…生体情報読取部
１５ａ…発光ダイオード
１５ｂ…フォトダイオード
１５ｃ…ホール素子
【図１】
0003759784.tif 000002
【図２】
0003759784.tif 000003
【図３】
0003759784.tif 000004
【図４】
0003759784.tif 000005
【図５】
0003759784.tif 000006
【図６】
0003759784.tif 000007
【図７】
0003759784.tif 000008